(57)【要約】【課題】再生装置（カメラ装置）の操作性、使用性の向上。【解決手段】  画像データ（撮像データ）を表示部に表示させて閲覧する際に、フォルダジャンプ操作により、画像データフォルダ単位で表示させる画像を切り換えることができるようにする。このフォルダジャンプ操作によって、ユーザーが大量の画像データから見たい画像を探し出すことを容易化する。また、オーディオ再生機能を有する場合、オーディオモード時のフォルダジャンプ操作手段の操作は、オーディオデータにフォルダ切換操作とする。これによってフォルダジャンプ操作手段の操作機能を理解しやすくし、操作子の兼用化にも好適なものとする。【選択図】      図９
2006135635.tif 000002
【特許請求の範囲】
【請求項１】
画像データフォルダが複数形成され、個々の画像データが、或る画像データフォルダ内に配置される状態で管理される記録媒体から画像データを再生する再生手段と、
上記再生手段で再生された画像データを表示する表示手段と、
フォルダジャンプを指示するフォルダジャンプ操作手段と、
上記記録媒体上で或る画像データフォルダに含まれる画像データが上記表示手段で表示されている際に、上記フォルダジャンプ操作手段の操作があった場合、上記表示手段における表示を他の画像データフォルダに含まれる画像データの表示に切り換える制御を行う制御手段と、
を備えたことを特徴とする再生装置。
【請求項２】
上記制御手段は、
或る画像データフォルダに含まれる１つの画像データが上記表示手段に表示されている際に上記フォルダジャンプ操作手段の操作があった場合、上記表示手段における表示を、上記他の画像データフォルダに含まれる１つの特定の画像データの表示に切り換える制御を行うことを特徴とする請求項１に記載の再生装置。
【請求項３】
上記制御手段は、
或る画像データフォルダに含まれる１つの画像データが上記表示手段に表示されている際に上記フォルダジャンプ操作手段の操作があった場合、上記表示手段における表示を、上記他の画像データフォルダに含まれる画像データのサムネイル画像の表示に切り換える制御を行うことを特徴とする請求項１に記載の再生装置。
【請求項４】
上記制御手段は、
或る画像データフォルダに含まれる画像データのサムネイル画像が上記表示手段に表示されている際に上記フォルダジャンプ操作手段の操作があった場合、上記表示手段における表示を、上記他の画像データフォルダに含まれる１つの特定の画像データの表示に切り換える制御を行うことを特徴とする請求項１に記載の再生装置。
【請求項５】
上記制御手段は、
或るる画像データフォルダに含まれる画像データのサムネイル画像が上記表示手段に表示されている際に上記フォルダジャンプ操作手段の操作があった場合、上記表示手段における表示を、上記他の画像データフォルダに含まれる画像データのサムネイル画像の表示に切り換える制御を行うことを特徴とする請求項１に記載の再生装置。
【請求項６】
上記制御手段は、
或る画像データフォルダに含まれる画像データのサムネイル画像が上記表示手段に表示されている際には、上記フォルダジャンプ操作手段の操作をフォルダジャンプ操作として扱わないことを特徴とする請求項１に記載の再生装置。
【請求項７】
上記特定の画像データとは、画像データフォルダ内の先頭のファイルとして記録された画像データであることを特徴とする請求項２又は請求項４に記載の再生装置。
【請求項８】
上記記録媒体は、さらにオーディオデータフォルダが複数形成され、個々のオーディオデータが、或るオーディオデータフォルダ内に含まれる状態に管理されており、
上記制御手段は、上記再生手段に、第１のモード時には、上記記録媒体に対する画像データの再生を実行させ、第２のモード時には、上記記録媒体に対するオーディオデータの再生を実行させるとともに、
上記第２のモード時において上記フォルダジャンプ操作手段の操作があった場合、その操作を、選択中のオーディオデータフォルダを他のオーディオデータフォルダに切り換える操作として処理することを特徴とする請求項１に記載の再生装置。
【請求項９】
画像データフォルダが複数形成され、個々の画像データが、或る画像データフォルダ内に配置される状態で管理される記録媒体から画像データの再生を行い、表示手段に表示させる表示制御方法として、
フォルダジャンプ操作を検出する操作検出ステップと、
或る画像データフォルダに含まれる画像データが上記表示手段に表示されている際に、上記操作検出ステップでフォルダジャンプ操作が検出された場合、上記表示手段における表示を他の画像データフォルダに含まれる画像データの表示に切り換える表示制御ステップと、
を備えたことを特徴とする表示制御方法。
【発明の詳細な説明】
【技術分野】
【０００１】
本発明は、いわゆるデジタルスチルカメラ等の分野において実現される画像データの再生装置、及びその表示制御方法に関する。
【背景技術】
【０００２】
【特許文献１】特開２００３−３７８０５号公報
【特許文献２】特開２００３−２５９３００号公報
【０００３】
ＣＣＤセンサ或いはＣＭＯＳセンサなどの固体撮像素子を用いて被写体の画像信号を得、これを撮像データとして記録媒体に記録するデジタルスチルカメラが普及している。
これらデジタルスチルカメラでは、撮像データ（写真データ）を記録する記録媒体としてフラッシュメモリを内蔵するメモリカードが用いられたり、或いは光ディスク、光磁気ディスク、或いは、ハードディスク（磁気ディスク）などのディスクメディアが用いられる。
現在一般的であるＤＣＦ準拠のデジタルカメラの場合、これらの記録媒体において撮像データはＦＡＴシステム上でフォルダ分けされて記録される。例えば上記特許文献には撮像データ（静止画データ）がフォルダ分けされて記録・管理されることが記載されている。
【発明の開示】
【発明が解決しようとする課題】
【０００４】
ところで近年、記録媒体の大容量化が促進され、記録媒体に格納できる撮像データの数も膨大なものとなりつつある。
一般にデジタルスチルカメラでは、撮像し記録媒体に記録した撮像データを、表示部に表示させて見ることができるようにされているが、記録された撮像データの数が多くなると、見たい撮像画像を見るためのユーザーの操作が面倒なものとなる。例えば通常、画像閲覧時は、ユーザは撮像した画像を１枚づつ順送り操作（又は逆送り操作）を行うことで表示させていくが、このような操作によって膨大な撮像データの中から見たい画像を探していくことは容易ではない。
【０００５】
また近年、電子機器の複合機能化が進む傾向にあり、デジタルスチルカメラとしての構成要素である撮像素子や回路構成の小型化も進んでいることで、デジタルスチルカメラとしての機能が例えば携帯電話機等に搭載されるなどの状況にある。
ここにおいて、例えば光ディスクに記録されたオーディオデータを再生する携帯用再生装置においても、カメラ機能を搭載するものが開発されている。
このようにオーディオ再生及びカメラ機能を備えた携帯用の複合装置などを考える場合、その機器の操作性が適切で、ユーザーが複数の機能をそれぞれ使いやすくすることが重要となる。特に小型携帯用の機器とされる場合で、多数の操作子を設けられない場合には、各種の機能で操作キー等が兼用されることが多いが、その兼用によってユーザーの操作機能の理解が困難になることも避けなければならない。
【０００６】
これらのことからカメラ装置において画像閲覧のための操作性の向上や、オーディオ・カメラ複合装置などにおいてユーザーに分かり易い操作性を実現することが求められている。
【課題を解決するための手段】
【０００７】
本発明はこのような課題に鑑み、カメラ装置やオーディオ再生機能を持つカメラ装置において実現される再生装置において、より快適な操作性、使用性を実現することを目的とする。
【０００８】
本発明の再生装置は、画像データフォルダが複数形成され、個々の画像データが、或る画像データフォルダ内に配置される状態で管理される記録媒体に対して、画像データを再生する再生手段と、上記再生手段で再生された画像データを表示する表示手段と、フォルダジャンプを指示するフォルダジャンプ操作手段と、上記記録媒体上で或る画像データフォルダに含まれる画像データが上記表示手段で表示されている際に、上記フォルダジャンプ操作手段の操作があった場合、上記表示手段における表示を他の画像データフォルダに含まれる画像データの表示に切り換える制御を行う制御手段とを備える。
またこの場合に上記制御手段は、或る画像データフォルダに含まれる１つの画像データが上記表示手段に表示されている際に上記フォルダジャンプ操作手段の操作があった場合、上記表示手段における表示を、上記他の画像データフォルダに含まれる１つの特定の画像データ（例えばフォルダの先頭のファイルとしての撮像データ）の表示に切り換える制御を行う。或いは、上記他の画像データフォルダに含まれる画像データのサムネイル画像の表示に切り換える制御を行う。
また、上記制御手段は、或る画像データフォルダに含まれる画像データのサムネイル画像が上記表示手段に表示されている際に上記フォルダジャンプ操作手段の操作があった場合、上記表示手段における表示を、上記他の画像データフォルダに含まれる１つの特定の画像データの表示に切り換える制御を行う。或いは、上記他の画像データフォルダに含まれる画像データのサムネイル画像の表示に切り換える制御を行う。或いは、このように或る画像データフォルダに含まれる画像データのサムネイル画像が上記表示手段に表示されている際には、上記フォルダジャンプ操作手段の操作をフォルダジャンプ操作として扱わないようにする。
【０００９】
また上記記録媒体は、さらにオーディオデータフォルダが複数形成され、個々のオーディオデータが、或るオーディオデータフォルダ内に含まれる状態に管理されており、上記制御手段は、上記再生手段に、第１のモード時（カメラモード時）には、上記記録媒体に対する画像データの再生を実行させ、第２のモード時（オーディオモード時）には、上記記録媒体に対するオーディオデータの再生を実行させるとともに、上記第２のモード時において上記フォルダジャンプ操作手段の操作があった場合、その操作を、選択中のオーディオデータフォルダを他のオーディオデータフォルダに切り換える操作として処理する。
【００１０】
本発明の表示制御方法は、画像データフォルダが複数形成され、個々の画像データが、或る画像データフォルダ内に配置される状態で管理される記録媒体から画像データの再生を行い、表示手段に表示させる表示制御方法として、フォルダジャンプ操作を検出する操作検出ステップと、或る画像データフォルダに含まれる画像データが上記表示手段に表示されている際に、上記操作検出ステップでフォルダジャンプ操作が検出された場合、上記表示手段における表示を他の画像データフォルダに含まれる画像データの表示に切り換える表示制御ステップとを備える。
【００１１】
以上の本発明では、例えば撮像によって記録した画像データを表示手段に表示させて閲覧する際に、フォルダジャンプ操作により、画像データフォルダ単位で表示させる画像を切り換えることができるようにする。
また、オーディオ再生機能を有する場合、オーディオモード時のフォルダジャンプ操作手段の操作は、オーディオデータのフォルダ切換操作とする。
【発明の効果】
【００１２】
本発明によれば、次のような効果が得られる。
記録媒体に記録した画像データ（撮像データ）を再生し、表示させている際に、フォルダジャンプ操作手段の操作によって、表示させる画像を、画像データフォルダ単位で変更することができる。このフォルダジャンプ操作によって、ユーザーは例えば撮像データとして記録した大量の画像データから見たい画像を探し出すことが容易となる。特に画像データフォルダを意識しているユーザーにとっては、表示させる画像の選択操作の容易性は格段に向上する。例えば大量の画像データ（ユーザーが撮像した撮像データ）を、それぞれ画像データフォルダ毎に整理された状態で保存しているユーザーには、フォルダジャンプ操作によって画像データフォルダを選択できることで、苦もなく所望の画像を探し出すことができるようになる。
また、このような画像データフォルダ単位で選択していけることで、今後の記録媒体の大容量化、つまり１つの記録媒体に格納できる撮像データの数が、より大量化されていっても、好適に対応でき、良好な操作性を損なわない。
【００１３】
フォルダジャンプ操作によっては、１つの画像データを表示させているときには、他の画像データフォルダの１つの撮像データを表示させるように切り換え、またサムネイル画像を表示させているときには、他の画像データフォルダの画像データのサムネイル画像を表示させるように切り換えるようにすれば、ユーザーが見ている表示態様のままのフォルダジャンプが実現され好適である。
逆に、フォルダジャンプ操作によっては、１つの画像データを表示させているときには、他の画像データフォルダのサムネイル画像を表示させるように切り換えたり、或いはサムネイル画像を表示させているときには、他の画像データフォルダの１枚の画像データを表示させるように切り換えるようにすれば、表示態様が変化することでフォルダジャンプが行われたことをユーザーが認識しやすく、操作に対する装置動作の理解のしやすさという点で好適である。
また、サムネイル画像を表示させているときには、フォルダジャンプ操作手段の操作をフォルダジャンプ操作と認識しないようにし、例えばサムネイル上のカーソル移動操作として処理するなどとしても、ユーザーが感覚的に理解し易い操作機能を実現できる。
【００１４】
また、オーディオ再生機能を備える場合において、フォルダジャンプ操作手段の操作をオーディオデータフォルダの切り換え操作とする。これによってフォルダジャンプ操作手段は第１のモードでも第２のモードでもフォルダ単位の切り換え操作となり、ユーザーが操作機能を理解し易いものとなり、操作性向上の観点から適切となる。
またフォルダジャンプ操作手段が、このように第１のモード時と第２のモード時で兼用されることで、複合機能機器としての操作子の削減効果も得られ、その上で操作の煩雑性を招かないため、小型携帯用の機器としても好適となる。
【発明を実施するための最良の形態】
【００１５】
以下、本発明の再生装置及び表示制御方法の実施の形態として、携帯型のオーディオプレーヤ及びカメラの複合機能を備えた装置を説明する。この例のオーディオ・カメラ複合装置は、光ディスクを記録媒体としてオーディオデータの再生を行い、また撮像した静止画データ（撮像データ）を光ディスクに記録し、再生できるものとする。説明は次の順序で行う。
［１．オーディオ・カメラ複合装置の外観構成］
［２．オーディオ・カメラ複合装置の内部構成］
［３．集中コントローラの操作機能］
［４．動作状態遷移］
［５．ファイル管理形態］
［６．停止状態での動作］
［７．再生状態での動作］
［８．写真閲覧状態での動作例Ｉ］
［９．写真閲覧状態での動作例II］
［１０．写真閲覧状態での動作例III］
［１１．写真閲覧状態での動作例IV］
［１２．写真閲覧状態での動作例Ｖ］
［１３．実施の形態の効果及び変形例］
【００１６】
［１．オーディオ・カメラ複合装置の外観構成］
図１（ａ）（ｂ）（ｃ）（ｄ）（ｅ）（ｆ）に、本例のオーディオ・カメラ複合装置１の正面図、平面図、左側面図、右側面図、底面図、背面図を示す。
このオーディオ・カメラ複合装置１の筐体は、上部筐体２と下部筐体３から成り、上部筐体２は下部筐体３に対して開閉される構造を採っている。詳細な機構の説明は省略するが図１（ｅ）に示す開閉操作子１６を操作することで、上部筐体２が開かれた状態となり、いわゆるミニディスク方式のディスクの装填機構が表出する。そしてディスクが装填された状態で上部筐体２を閉じることで、筐体内部でディスクに対する情報の記録又は再生が実行される。
このオーディオ・カメラ複合装置１は、ディスクを装填することにより、そのディスクに記録されているオーディオデータ（楽曲等）の再生を行うことができ、携帯用のオーディオプレーヤとして機能する。またディスクに対して撮像データの記録再生を行うことができ、デジタルスチルカメラとしても機能することになる。
なお、以下では、オーディオプレーヤとして機能する動作状態をオーディオモード、デジタルスチルカメラとして機能する動作状態をカメラモードと言う。
【００１７】
図１（ａ）のように筐体正面には、例えば液晶パネル等による表示部４が設けられている。この表示部４には、オーディオモード時には、光ディスクに記録されたオーディオデータの選択のための一覧や操作メニュー、再生中のトラックナンバ、進行時間や総演奏時間などの時間情報、操作ガイド、或いはアルバムジャケット画像、スライドショウ画像、サムネイル画像などが表示される。
またカメラモードの場合は、撮像スタンバイ状態にあるときは、その際に撮像素子で取り込まれている被写体画像（実動画）や、シャッタ操作した時点で撮像された静止画像（写真画像）が表示され、また写真閲覧状態にあるときは、過去に撮像した写真（光ディスクに記録された撮像データ）の再生画像やサムネール画像が表示される。
【００１８】
また筐体上の所定位置には各種の操作子が設けられている。
図１（ａ）に示すように筐体正面には操作子として、集中コントローラ５，メニューキー６，ストップ／キャンセルキー７、スライドショウキー８、ディスプレイキー９が設けられる。また図１（ｂ）に示すように筐体上面にはカメラオン／オフキー１０、シャッタボタン１１が設けられる。また図１（ｄ）に示すように筐体側面にはボリュームキー１２，ダウンロードキー１３，ホールドスイッチ１４が設けられる。
集中コントローラ５は、オーディオモード、カメラモードのいずれの場合も主たる操作を行う操作子とされる。この集中コントローラ５の操作機能については図４により後述する。
メニューキー６は、表示部４における操作メニュー表示のオン／オフ操作のためのキーとされる。
ストップ／キャンセルキー７は、再生動作の停止や各種キャンセル操作のためのキーとされる。
スライドショウキー８はスライドショウとして、例えばオーディオ再生時の画像データ表示動作を指示するキーとされる。
ディスプレイキー９は、表示部４における表示モード、表示内容等を切り換えるためのキーとされる。
カメラオン／オフキー１０については後にも述べるが、カメラモードの起動及びカメラモードの終了を指示するキーとされる。
シャッタボタン１１は、カメラモードにおいて撮像タイミングを指示するキーである。シャッタボタン１１により写真画像の撮像が行われる。
ボリュームキー１２は、オーディオ再生時の音量調整キーである。
ダウンロードキー１３は、例えば当該オーディオ・カメラ複合装置１をパーソナルコンピュータに接続した場合などにおいて、データのダウンロードを実行させるためのキーである。
ホールドスイッチ１４は、携帯時等の誤操作をなくすために、各操作子のキーの無効化（ホールド状態）を設定するスライド操作子である。
【００１９】
図１（ｅ）のように筐体前面には、ＵＳＢ端子３が設けられ、ＵＳＢ方式のインターフェースで例えばパーソナルコンピュータ等と接続することが可能とされている。
図１（ｃ）のように筐体側面にはヘッドホン／リモコン端子１８が形成され、リモートコントローラ付きのヘッドホンが接続される。
図１（ｄ）のように筐体側面にはバッテリーボックス開閉部１９が設けられ、このバッテリーボックス開閉を開くことで、バッテリーの挿入／取り出しが可能となる。
【００２０】
図１（ｆ）のように筐体背面側には、スライド操作可能なレンズカバー１５が設けられている。レンズカバー１５は、撮像レンズの保護のために設けられる。
図２（ａ）（ｂ）に、レンズカバー１５のスライドによる開閉状態を示す。
レンズカバー１５は、図２（ａ）のような閉状態と、図２（ｂ）のような開状態とにスライド可能とされている。図２（ｂ）の開状態とすることで、撮像レンズ部１９が表出され、カメラ撮像が可能な状態となる。また図２（ａ）の閉状態では、撮像レンズ部１９が遮蔽され、レンズが保護される状態となる。
本例では、レンズカバー１５のスライド操作が、動作状態遷移を指示する操作ともなる。
【００２１】
［２．オーディオ・カメラ複合装置の内部構成］
図３によりオーディオ・カメラ複合装置１の内部構成を説明する。
ＣＰＵ３０は装置全体の制御部として機能し、オーディオモードでの再生動作やカメラモードでの撮像動作や画像再生動作や、表示部４の表示動作などのための制御、ユーザー操作の検知、動作状態の遷移処理、外部機器との通信制御などを行う。ＣＰＵ３０はバス５０を介して各部とデータや制御情報のやりとりを行う。
ＲＡＭ３１は、ＣＰＵ３１が演算のワーク領域として用いたり、動作中の情報の記憶に用いる。
ＲＯＭ３２は、ＣＰＵ３１が実行するプログラムや各種処理係数などが記憶される。
不揮発性メモリ３３（ＮＶ−ＲＡＭやフラッシュＲＯＭ）は、各種係数、設定情報、リジュームポイント（再生停止時のアドレス）、その他、電源オフ時にも保持しておくべき情報の記憶に用いられる。
【００２２】
メディアドライブ部３４は、ＣＰＵ３０の制御に基づいて、ディスク９０、例えばミニディスク方式の光ディスク（又は光磁気ディスク）に対する記録再生を行う。このため、ディスク９０に記録すべきデータについての記録フォーマットへのエンコード部、ディスク９０からの再生データのデコード部、記録再生ヘッド、サーボ機構、スピンドルモータ機構などを備える。
バッファメモリ３５は例えばＳＤ−ＲＡＭにより構成され、このバッファメモリ３５では、メディアドライブ部３４に転送してディスク９０に記録させるデータのバッファリングや、メディアドライブ部３４でディスク９０から読み出されたデータのバッファリングが行われる。
また、ディスク９０に記録された管理情報、即ちデータの記録再生動作のために必要なディスク９０の物理情報、エリア情報、記録されたデータファイル情報などは、ディスク９０が装填された際に、ＣＰＵ３０の指示によってメディアドライブ部３４によって読み出されるが、これらの管理情報はバッファメモリ３５はの一部領域に格納され、ＣＰＵ３０が参照できるようにされる。なおＣＰＵ３０は、バッファメモリ３５に格納した管理情報をＲＡＭ３１に取り込んで参照するようにしてもよい。
メモリインターフェース３６は、バッファメモリ３５に格納されるデータの転送処理やバッファメモリ内の書込／読出アドレスの制御処理を行う。
【００２３】
圧縮エンコード／デコード部３７は、例えばＡＴＲＡＣなどの圧縮方式でオーディオデータの圧縮エンコードや圧縮に対するデコードを行う。
圧縮エンコード／デコード部３７でデコード処理されることで例えばリニアＰＣＭデータとされたオーディオデータは、Ｄ／Ａ変換器４７でアナログオーディオ信号に変換され、ヘッドホンアンプ４８に供給される。ヘッドホンアンプ４８では、増幅処理、インピーダンス調整処理などを行い、オーディオ信号をヘッドホン端子４９に供給する。
ヘッドホン端子４９は、図１（ｃ）のヘッドホン／リモコン端子１８におけるヘッドホン端子部分であり、接続されたリモートコントローラ付きのヘッドホンにおいて再生音声が出力されることになる。
【００２４】
なお、図示していないが、例えばライン入力、マイクロホン入力、デジタルオーディオ入力などの入力系が設けられてアナログオーディオ信号又はデジタルオーディオデータが入力される場合、入力されたオーディオ信号は例えばデジタルオーディオデータ形態で圧縮エンコード／デコード部３７に供給され、圧縮エンコードされるようにする。そして圧縮エンコードされたデータがバッファメモリ３５を介してメディアドライブ部３４に転送され、ディスク９０に記録されるようにすることで、オーディオ録音機能を実現することができる。
また、例えばパーソナルコンピュータ等と接続され、オーディオデータがダウンロードされる場合に、該データを圧縮エンコード／デコード部３７で圧縮エンコード処理を行う場合もある。
【００２５】
ＵＳＢインターフェース３９は、ＵＳＢ端子１７を介して接続されるパーソナルコンピュータ等の機器との間のデータ転送処理を行う。
シリアルインターフェース４０は、後述するカメラ／ＬＣＤブロックとの間のデータ入出力処理を行う。
Ａ／Ｄポート４１は、各種ユーザー操作を検出し、Ａ／Ｄ変換値を操作情報としてＣＰＵ３０に供給する。操作キー４４とは、上述した集中コントローラ５，メニューキー６，ストップ／キャンセルキー７、スライドショウキー８、ディスプレイキー９、カメラオン／オフキー１０、シャッタボタン１１、ボリュームキー１２，ダウンロードキー１３を指し、Ａ／Ｄポート４１はこれらの操作子の操作情報を所定の値でＣＰＵ３０に伝える。
また、リモコン端子４６は、図１（ｃ）のヘッドホン／リモコン端子１８におけるリモコン端子部分であり、接続されたヘッドホンに設けられたリモートコントローラからの操作情報がＡ／Ｄポート４１によって検出され、所定の値としてＣＰＵ３０に伝えられる。
シリアルインターフェース４２は、ＣＰＵ３０が指示する表示データをリモコン端子４６からリモートコントローラに供給する。ヘッドホンに設けられたリモートコントローラには表示部が形成されており、その表示部においては、シリアルインターフェース４２を介してＣＰＵ３０から供給された表示制御情報に基づく表示動作が行われる。
【００２６】
ＤＳＰインターフェース４３は、ＣＰＵ３０、ＵＳＢインターフェース３９等のバス５０上の各部と圧縮エンコード／デコード部３７でのデータや制御情報の転送を行う。
ホールドキー１４の操作は、ＣＰＵ３０によって検出される。ＣＰＵ３０はホールドキー１４によってキーの無効化操作がなされている場合、Ａ／Ｄポート４１を介して供給される操作キー４４による操作情報を無効なものとして扱う。
【００２７】
カバー連動スイッチ４５は、レンズカバー１５の開閉に応じてオン／オフが切り換えられるスイッチであり、レンズカバー１５の開閉の検出部として機能する。ＣＰＵ３０はカバー連動スイッチ４５のオン／オフ状態を検知することで、レンズカバー１５が開状態にあるか閉状態にあるかを知ることができる。
【００２８】
カメラ／ＬＣＤブロック３８は、撮像処理系及び表示部４を含む表示処理系としての部位である。
撮像処理系としては、上述した撮像レンズ部１９によって入射される被写体光を検出するＣＣＤセンサ或いはＣＭＯＳセンサ等の固体撮像素子部、固体撮像素子から画素信号を転送し、ゲイン調整やＡ／Ｄ変換を行う撮像信号転送回路、撮像信号転送回路によって得られた撮像画像データに対するホワイトバランス、Ｙ／Ｃ処理等を行うデジタル処理系、撮像画像データに対して圧縮処理やフォーマット処理等を行うエンコード系などが設けられる。
また表示処理系としては、表示部４としてのＬＣＤに表示すべき画像、文字、キャラクタ等を形成する表示画像処理部、表示画像に基づいてＬＣＤを駆動する表示駆動回路などが設けられる。
【００２９】
このようなオーディオ・カメラ複合装置では、オーディオモードでは、ディスク９０に記録されたオーディオデータの再生が行われる。
ユーザーが操作キー４４又はリモートコントローラを用いて再生操作を行った場合、ＣＰＵ３０はメディアドライブ部３４を制御して、ディスク９０のオーディオファイル（オーディオトラック）の再生を実行させる。
メディアドライブ部３４で再生されたオーディオデータは、バッファメモリ３５に蓄積された後、順次読み出されて圧縮エンコード／デコード部３７に転送され、デコードされる。そしてＤ／Ａ変換器４７でアナログオーディオ信号とされ、ヘッドホンアンプ４８の処理を介して接続されたヘッドホンから音声出力される。
このオーディオモードの際には、カメラ／ＬＣＤブロック３８における表示部４及び表示処理系では、ＣＰＵ３０の制御に基づいて、再生メニュー（曲名等の一覧表示）、再生中の曲名、アーティスト名、時間情報、ジャケット画像、スライドショウ画像などの表示動作を実行する。
【００３０】
カメラモードの場合において、撮像スタンバイ状態にあるときは、ＣＰＵ３０はカメラ／ＬＣＤブロック３８を制御して、被写体画像の取り込み、画像信号処理や、表示部４での被写体画像（実動画）の表示を実行させる。
その状態でユーザーがシャッタボタン１１を押したら、ＣＰＵ３０は、その時点の被写体画像（静止画）を撮像データとして記録する制御を行う。つまり、そのシャッタ操作時の１フレームの画像データを、バッファメモリ３５を介してメディアドライブ部３４に記録データとして供給する。
メディアドライブ部３４はディスク９０に対して、１つの写真画像ファイルとして撮像データを記録する。
カメラモードにおいて写真閲覧状態にあるときは、ＣＰＵ３０はメディアドライブ部３４にディスク９０に記録されている写真画像ファイルのデータの読出を行う。読み出された画像データはバッファメモリ３５を介して、カメラ／ＬＣＤブロック３８に転送され、表示部４に表示される。
なお、写真画像データは１枚づつ表示部４に表示される場合と、サムネール画像として多数の画像が一覧表示される場合がある。ＣＰＵ３０はユーザーの操作に応じて１枚表示とサムネール表示を切り換えるように制御する。
【００３１】
［３．集中コントローラの操作機能］
集中コントローラ５の操作機能について図４で説明する。集中コントローラ５は、カメラモードとオーディオモードで別の操作機能が与えられている兼用操作子である。
図４（ａ）に集中コントローラ５の操作態様を示す。
集中コントローラ５は、まずその中央部を押圧するプッシュ操作が可能とされている。
また中央の周囲の４隅もそれぞれ押圧可能とされ、その上下左右の押圧が、アップ操作、ダウン操作、レフト操作、ライト操作とされる。
さらに集中コントローラ５の外周部分はいわゆるジョグダイヤルとして回転可能に形成されており、右回り或いは左回りのジョグ操作が可能とされている。
【００３２】
これら各操作の操作機能を図４（ｂ）に示す。
まずオーディオモードとされているときの操作機能を説明する。
プッシュ操作は、再生及び一時停止操作、決定（エンター）操作、ブックマーク設定／解除操作となる。
例えば電源オフのスリープ状態や停止状態からプッシュ操作が行われることで、ＣＰＵ３０はそれは再生操作と認識し、再生開始制御を行う。この場合、例えばメニュー画面上などにおいて再生するトラック（例えば曲としてのデータファイル）が選択されていれば、そのトラックの再生を開始させ、また選択されていなければ、ディスク９０における最初のトラックの再生を開始させる。さらに、リジュームポイントとして特定のアドレスが記憶されていれば、ＣＰＵ３０は該リジュームポイントとしてのアドレスからディスク９０の再生を実行させる。
また再生動作中にプッシュ操作が行われた場合、ＣＰＵ３０はそれを一時停止（ポーズ）操作とし、再生音声の出力を一時停止させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
また、再生中や一時停止中などに、例えば２秒などの所定時間以上の長押しとしてプッシュ操作が行われた場合は、ＣＰＵ３０はそれをブックマーク設定操作とし、再生位置としてのブックマーク設定を行う。またブックマーク設定箇所において同じく長押しプッシュ操作が行われた場合は、ブックマーク設定を解除する。
【００３３】
ジョグ操作はトラック一覧表示へのトリガ、及びカーソル移動操作となる。
例えばユーザーがジョグ操作を行うと、ＣＰＵ３０は表示部４にトラック一覧表示を行う。さらに、ジョグ操作は連続的に、トラック一覧表示上でのカーソル移動操作とされる。例えばユーザーは、再生させる曲を選択したい場合、ジョグ操作によって所望の曲を選択できる。トラック一覧表示上でカーソルを所望の曲名上に移動させた後、プッシュ操作を行えば、それが選択の決定及び再生操作となる。
【００３４】
レフト操作は、ＦＲ操作（戻り方向頭出し）操作及びレビュー操作（早戻し再生）となる。即ち単押しとしてのレフト操作が、戻り方向のトラック先頭位置へのアクセス操作となり、継続押しとしてのレフト操作が、早戻し再生の操作となる。
ライト操作は、ＦＦ操作（再生進行方向頭出し）操作及びキュー操作（早送り再生）となる。即ち単押しとしてのライト操作が、再生進行方向のトラック先頭位置へのアクセス操作となり、継続押しとしてのライト操作が、早送り再生の操作となる。
【００３５】
アップ操作は、＋方向のフォルダ移動操作（フォルダジャンプ操作）及びカーソル移動操作となる。ディスク９０には、多数のオーディオトラック（ファイル）がフォルダにまとめられて管理され、またフォルダも複数持つことができる。アップ操作によっては、フォルダ単位の指定状態の移動が行われる。
またメニュー表示やトラック一覧表示がなされている場合においては、アップ操作はカーソルを上方に移動させる操作となる。
ダウン操作は、−方向のフォルダ移動操作（フォルダジャンプ操作）及びカーソル移動操作となる。ダウン操作によっては、上記アップ操作とは逆方向にフォルダ単位の指定状態の移動や、メニュー表示やトラック一覧表示上でのカーソル下方移動が行われる。
【００３６】
カメラモードとされているときの操作機能は次のようになる。
プッシュ操作は、サムネイル表示へのトリガ、クイックレビュー操作、決定（エンター）操作となる。
例えば写真閲覧状態において１枚の写真画像が表示部４に表示されている際にプッシュ操作が行われると、ＣＰＵ３０はそれはサムネイル表示へのトリガ操作と認識し、表示部４にサムネイル画像表示を実行させる制御を行う。
また撮像スタンバイ状態で撮像が行われた後などにプッシュ操作が行われると、ＣＰＵ３０はそれをクイックレビュー操作とし、直前に撮像した画像データの表示など過去に撮像しディスク９０に記録した画像の表示を実行させる。また、サムネイル画像表示中にプッシュ操作が行われると、ＣＰＵ３０は、その際にカーソルで選択されている画像データの１枚表示を実行させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
【００３７】
ジョグ操作はズーム操作、及びカーソル移動操作となる。
撮像スタンバイ状態でジョグ操作が行われると、ＣＰＵ３０はそれをズーム操作とし、ズームレンズの制御や信号処理によるズーム制御を実行させる。
さらにサムネイル画像表示やメニュー表示等が行われている場合、ジョグ操作はその回転方向に応じたカーソル移動操作とされる。
【００３８】
レフト操作は、セルフタイマー切換操作及びカーソル移動操作となる。つまりレフト操作によってセルフタイマー機能の切換が行われ、またサムネイル画像表示中などではカーソルの左方向移動が行われる。
ライト操作は、フラッシュ切換操作及びカーソル移動操作となる。つまりライト操作によってフラッシュ機能の切換が行われ、またサムネイル画像表示中などではカーソルの右方向移動が行われる。
アップ操作は、マクロ切換、カーソル移動操作、及び＋方向のフォルダ移動操作（フォルダジャンプ操作）となる。つまりアップ操作によって、マクロ機能の切換が行われ、またサムネイル画像表示中などではカーソルの上方向移動が行われる。またディスク９０には、多数の撮像データとしてのファイルがフォルダにまとめられて管理され、またフォルダも複数持つことができる。アップ操作によっては、フォルダ単位の指定状態の移動が行われる。例えば一枚画像表示中にアップ操作が行われると、これがフォルダジャンプ操作となり、表示している画像データの画像データフォルダから次の画像データフォルダを指定し表示する動作が行われる。なお、後述するが、サムネイル画像表示中のアップ操作を、カーソル移動操作ではなくフォルダジャンプ操作とする動作例もある。
ダウン操作は、ジャケット写真モード切換、画サイズ切換、カーソル移動操作、及び−方向のフォルダ移動操作（フォルダジャンプ操作）となる。つまりダウン操作によって、ジャケット写真モードの切換が行われ、画サイズとしての１２８０×９６０、６４０×４８０などの各種モードの切換が行われる。またサムネイル画像表示中などではカーソルの下方向移動が行われる。また一枚画像表示中などに現在の画像データフォルダの前の画像データフォルダを指定する状態に切り換えられる。ダウン操作についても、サムネイル画像表示中の操作を、カーソル移動操作ではなくフォルダジャンプ操作とする動作例もある。
【００３９】
［４．動作状態遷移］
本例では、オーディオ・カメラ複合装置において各種動作状態の遷移のための操作としてレンズカバー１５の開閉を利用している。レンズカバー１５の開閉を含めた動作状態の遷移について図５で説明する。
【００４０】
本例において動作状態とは、大きく分けてオーディオモードとカメラモードがある。
そしてオーディオモードにおいては、スリープ状態、停止状態、再生状態という各動作状態がある。
またカメラモードにおいては、撮像スタンバイ状態と写真閲覧状態という各動作状態がある。
スリープ状態とは、装置の主電源がオフとされている状態である。この場合ＣＰＵ３０にはスリープ用の電源電圧が供給され、例えばユーザー操作の検出や時刻計数など、最低限必要とされる処理のみを行っている。
停止状態とは、装置の主電源がオンとされているがオーディオ再生が行われていない状態である。
再生状態とは、オーディオ再生が実行されている状態もしくは再生が一時停止されている状態である。
撮像スタンバイ状態とは、表示部４に被写体の画像が表示され、シャッタボタン１１によって撮像（画像データ記録）が実行できる状態である。
写真閲覧状態とは、ディスク９０に記録された撮像画像データを再生し、１枚表示又はサムネイル表示として表示部４に表示させる状態である。
ＣＰＵ３０は、これらの各動作状態（動作モード）を、図５のＳ１〜Ｓ２１で示す各操作又は条件に応じて以下のように遷移させる。
【００４１】
＜Ｓ１：スリープ状態でのカメラオン／オフキー１０の操作＞
スリープ状態にあるときにカメラオン／オフキー１０が操作されたら、ＣＰＵ３０はカメラモードを起動させる。但し、このカメラオン／オフキー１０が操作されたときにレンズカバー１５が開状態であれば、撮像スタンバイ状態でカメラモードを起動する。
＜Ｓ２：スリープ状態のときにレンズカバー１５が開けられる＞
スリープ状態にあるときに、レンズカバー１５が開けられたら、ＣＰＵ３０はカメラモードを起動させ撮像スタンバイ状態とする。
＜Ｓ３：スリープ状態でのカメラオン／オフキー１０の操作＞
上記Ｓ１の場合のようにスリープ状態にあるときにカメラオン／オフキー１０が操作されたらＣＰＵ３０はカメラモードを起動させるが、このカメラオン／オフキー１０が操作されたときにレンズカバー１５が閉状態であれば、写真閲覧状態でカメラモードを起動する。
＜Ｓ４：スリープ状態からのウェイクアップ系操作＞
スリープ状態にあるときに、ウェイクアップ系操作が行われたら、ＣＰＵ３０はオーディオモードで主電源オンとし、停止状態とする。ウェイクアップ系操作とは、メニューキー６，ディスプレイキー９などの再生動作を伴わない操作を言う。
＜Ｓ５：スリープ状態からの再生操作＞
スリープ状態にあるときに、集中コントローラのプッシュ操作、即ち再生操作が行われたら、ＣＰＵ３０はオーディオモードで主電源オンとし、再生状態とする。つまり再生動作を開始させる。
【００４２】
＜Ｓ６：停止状態でのカメラオン／オフキー１０の操作＞
停止状態にあるときにカメラオン／オフキー１０が操作されたら、ＣＰＵ３０はオーディオモードからカメラモードに切り換える。但し、このカメラオン／オフキー１０が操作されたときにレンズカバー１５が開状態であれば、撮像スタンバイ状態でカメラモードを起動する。
＜Ｓ７：停止状態のときにレンズカバー１５が開けられる＞
停止状態にあるときに、レンズカバー１５が開けられたら、ＣＰＵ３０はカメラモードに切り換え、撮像スタンバイ状態とする。
＜Ｓ８：停止状態でのカメラオン／オフキー１０の操作＞
上記Ｓ６の場合のように停止状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ９：停止状態でのタイムアウト＞
ＣＰＵ３０は、停止状態において、操作がなされないまま所定時間（例えば３分など）経過したら、タイムアウトとして主電源をオフとしスリープ状態に移行する。
＜Ｓ１０：停止状態からの再生操作＞
停止状態にあるときに、集中コントローラのプッシュ操作、即ち再生操作が行われたら、ＣＰＵ３０は再生状態に移行する。つまり再生動作を開始させる。
【００４３】
＜Ｓ１１：再生状態でのカメラオン／オフキー１０の操作＞
再生状態にあるときにカメラオン／オフキー１０が操作されたら、ＣＰＵ３０は再生を停止させ、オーディオモードからカメラモードに切り換える。但し、このカメラオン／オフキー１０が操作されたときにレンズカバー１５が開状態であれば、撮像スタンバイ状態でカメラモードを起動する。
＜Ｓ１２：再生状態のときにレンズカバー１５が開けられる＞
再生状態にあるときに、レンズカバー１５が開けられたら、ＣＰＵ３０は再生を停止させてカメラモードに切り換え、撮像スタンバイ状態とする。
＜Ｓ１３：再生状態でのカメラオン／オフキー１０の操作＞
上記Ｓ１１の場合のように再生状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ１４：再生状態での停止操作＞
ＣＰＵ３０は、再生状態において、ストップ／キャンセルキー７が操作されたら、再生を終了させ、停止状態に移行する。
＜Ｓ１５：再生終了＞
オーディオデータの再生が終了したら、ＣＰＵ３０は停止状態に移行させる。
【００４４】
＜Ｓ１６：撮像スタンバイ状態のときにレンズカバー１５が閉じられる＞
撮像スタンバイ状態にあるときに、レンズカバー１５が閉じられたら、ＣＰＵ３０は写真閲覧状態に切り換える。
＜Ｓ１７：撮像スタンバイ状態でのカメラオン／オフキー１０の操作＞
撮像スタンバイ状態にあるときにカメラオン／オフキー１０が操作されたら、ＣＰＵ３０はカメラモードを終了させて主電源をオフとし、スリープ状態に移行する。
＜Ｓ１８：撮像スタンバイ状態でのタイムアウト＞
ＣＰＵ３０は、撮像スタンバイ状態において、操作がなされないまま所定時間（例えば３分など）経過したら、タイムアウトとして主電源をオフとしスリープ状態に移行する。
【００４５】
＜Ｓ１９：写真閲覧状態のときにレンズカバー１５が開けられる＞
写真閲覧状態にあるときに、レンズカバー１５が開けられたら、ＣＰＵ３０は撮像スタンバイ状態に切り換える。
＜Ｓ２０：写真閲覧状態でのカメラオン／オフキー１０の操作＞
写真閲覧状態にあるときにカメラオン／オフキー１０が操作されたら、ＣＰＵ３０はカメラモードを終了させて主電源をオフとし、スリープ状態に移行する。
＜Ｓ２１：写真閲覧状態でのタイムアウト＞
ＣＰＵ３０は、写真閲覧状態において、操作がなされないまま所定時間（例えば３分など）経過したら、タイムアウトとして主電源をオフとしスリープ状態に移行する。
【００４６】
以上のようにＣＰＵ３０はユーザーの操作や条件に応じて動作状態を切り換える。
【００４７】
［５．ファイル管理形態］
ここでディスク９０に記録される撮像データやオーディオデータの管理形態について説明しておく。
ディスク９０においては、記録データは例えばＦＡＴファイルシステムにより管理される。
図６に示すようにＦＡＴファイルシステムのルートには、ＤＣＩＭディレクトリ、ＨｉＦｉディレクトリが配置される。
【００４８】
デジタルカメラシステムにおける静止画像（撮像データ）は、ＪＥＩＤＡ規格のカメラファイルシステム規格（Design rule for Camera File system：ＤＣＦ規格）に準拠して管理され、このＤＣＦ規格では、ルートにＤＣＩＭディレクトリがおかれることが規定されている。
そしてＤＣＩＭディレクトリには、最大９９９個のフォルダＣＦ１，ＣＦ２・・・をおくことができる。説明上の区別のため、ＤＣＩＭディレクトリ内のフォルダＣＦ１，ＣＦ２・・・を「画像データフォルダ」と呼ぶこととする。
各画像データフォルダＣＦ内には、最大９９９９枚の静止画像（撮像データ）を格納できると規定されているが、その最大数の設定は、設計上の都合により任意である（９９９９枚以下であればよい）。
図６では、画像データフォルダＣＦ１に含まれる撮像データのファイルを、ＤＴｃ１０１、ＤＴｃ１０２・・・として示している。
また各ファイルＤＴｃ１０１・・・には、それぞれ実際の撮像データとともに、ヘッダ情報やサムネイルデータが含まれているが、さらに、各ファイルのサムネイルデータを集めたサムネイルファイルが１又は複数個生成され、画像データフォルダＣＦ１内に配置される。ファイルＴＭ１０１、ＴＭ１０２は、サムネイルファイルを示している。１つのサムネイルファイルには、例えば最大１００枚のサムネイル画像が格納されるように設定される。
他の画像データフォルダＣＦ２，ＣＦ３・・・についても同様の構造となる。
【００４９】
ＨｉＦｉディレクトリによっては、ミニディスクシステムとしてのオーディオデータが管理される。このＨｉＦｉディレクトリには、トラックインデックスファイルとオーディオデータファイルが配される。
オーディオデータファイルは、実際のオーディオデータとしてのトラックや各種フリンジ情報などが含まれ、それらの実データがトラックインデックスファイル内の管理情報によって管理される。
トラックインデックスファイルによる管理構造についての、ここでの詳述は避けるが、多数のオーディオデータとしてのトラックが、１又は複数のグループに分けられて管理される。グループとは、例えばアルバム毎、アーティスト毎、或いはユーザー設定などの区分となる。例えば破線内として示すように、グループＡＧ１，ＡＧ２・・・としての管理構造が形成され、各グループには１又は複数のトラックやフリンジ情報が含まれるものとなる。図６では、例えばグループＡＧ１にオーディオデータとしてのトラックＴＫ１，ＴＫ２，ＴＫ３やフリンジ情報ＦＧ１が含まれる状態となっていることを示している。
なお、説明上、上述した画像データフォルダとの区別のため、グループＡＧ１，ＡＧ２・・・を、「オーディオデータフォルダ」と呼ぶこととする。
【００５０】
なお、本実施の形態ではミニディスクシステムを例に挙げているため、トラックインデックスファイルによる管理形態が、直接的にオーディオデータを格納したフォルダ構造を採るものではないが、例えばルート下の或るディレクトリから複数のオーディオデータフォルダが示され、そのオーディオデータフォルダ内に１又は複数のオーディオデータファイル（トラック）が配置される形態を採るものであってもよい。
【００５１】
［６．停止状態での動作］
図５で述べた各動作状態の内、オーディオモードの停止状態においてユーザーの操作に応じて行われる動作を図７に示す。図７では、ユーザーの操作に応じた動作をＳ３１〜Ｓ３９で示している。
停止状態では、図示するように「停止中」「フォルダ内トラック一覧」「フォルダ一覧」という各状態がある。
いずれもオーディオ再生動作に関しては行われていない状態であるが、「停止中」は表示部４において停止時の通常の表示が行われている状態、「フォルダ内トラック一覧」は表示部４において、現在選択されているオーディオデータフォルダＡＧ（ｘ）に含まれるトラックが一覧表示されている状態、「フォルダ一覧」は表示部にオーディオデータフォルダＡＧ１、ＡＧ２・・・が一覧表示されている状態を、それぞれ示している。
【００５２】
＜Ｓ３１：停止中のレフト操作／ライト操作＞
停止中にレフト操作／ライト操作が行われた場合、ＣＰＵ３０は、それを或るオーディオデータフォルダ内で選択中であるトラックについてのトラックジャンプ操作として処理する。レフト操作は前トラックへのジャンプ、ライト操作は次トラックへのジャンプとなる。例えば図６に示したオーディオデータフォルダＡＧ１においてトラックＴＫ１が選択中である場合（つまり、再生操作を行うとトラックＴＫ１から再生される状態である場合）に、ライト操作を行うと、トラックＴＫ２が選択される状態となる。
従ってユーザーは、停止中には、レフト操作やライト操作で現在のオーディオデータフォルダ（グループ）内の任意のトラックを指定できるものとなる。
＜Ｓ３２：停止中のアップ操作／ダウン操作＞
停止中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。例えば図６のオーディオデータフォルダＡＧ２が選択されているときに、ユーザーはアップ操作やダウン操作を行うことで、選択状態をオーディオデータフォルダＡＧ１やオーディオデータフォルダＡＧ３に変更させることができる。
＜Ｓ３３：停止中のジョグ操作＞
停止中にジョグ操作が行われた場合、ＣＰＵ３０はその操作をトリガとして表示状態をフォルダ内トラック一覧に切り換える。例えばＣＰＵ３０は、オーディオデータフォルダＡＧ１が選択されている状態でジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。
【００５３】
＜Ｓ３４：フォルダ内トラック一覧からのストップ／キャンセル操作＞
フォルダ内トラック一覧表示を行っているときに、ストップ／キャンセルキー７が押された場合、ＣＰＵ３０はそれを一覧表示の終了と判断し、表示部４の表示を停止中の表示状態に戻す。
＜Ｓ３５：フォルダ内トラック一覧からのジョグ操作／アップ操作／ダウン操作＞
フォルダ内トラック一覧表示を行っているときに、ジョグ操作／アップ操作／ダウン操作が行われたら、ＣＰＵ３０はそれらをカーソル移動操作として処理し、トラック一覧表示上でカーソル移動を行う。例えばジョグ操作として右回り操作はトラックナンバが進む方向へのカーソル移動、ジョグ操作として左回り操作はトラックナンバが戻る方向へのカーソル移動、アップ操作はトラックナンバが戻る方向へのカーソル移動、ダウン操作はトラックナンバが進む方向へのカーソル移動、などとして表示上でのカーソル移動制御を行うことになる。
＜Ｓ３６：フォルダ内トラック一覧からのレフト操作＞
フォルダ内トラック一覧表示を行っているときに、レフト操作が行われたら、ＣＰＵ３０はその操作をトリガとして、表示状態をフォルダ一覧に切り換える。この場合、ＣＰＵ３０は、表示部に、オーディオデータフォルダＡＧ１、ＡＧ２・・・の一覧表示を実行させる。
【００５４】
＜Ｓ３７：フォルダ一覧からのジョグ操作／アップ操作／ダウン操作＞
フォルダ一覧表示を行っているときに、ジョグ操作／アップ操作／ダウン操作が行われたら、ＣＰＵ３０はそれらをカーソル移動操作として処理し、フォルダ一覧表示上でカーソル移動を行う。例えばジョグ操作として右回り操作はオーディオデータフォルダのフォルダナンバが進む方向へのカーソル移動、ジョグ操作として左回り操作はフォルダナンバが戻る方向へのカーソル移動、アップ操作はフォルダナンバが戻る方向へのカーソル移動、ダウン操作はフォルダナンバが進む方向へのカーソル移動、などとして表示上でのカーソル移動制御を行う。
＜Ｓ３８：フォルダ一覧からのライト操作＞
フォルダ一覧表示を行っているときに、ライト操作が行われたら、ＣＰＵ３０はその操作をトリガとして、表示状態をフォルダ内トラック一覧に戻す。このライト操作は、上記Ｓ３６のレフト操作と対になる画面の戻しのための操作となる。
＜Ｓ３９：フォルダ一覧からのプッシュ操作＞
フォルダ一覧表示を行っているときに、プッシュ操作が行われたら、ＣＰＵ３０はそれをフォルダ選択の決定操作として処理する。この場合ＣＰＵ３０は、その時点でフォルダ一覧画面上でカーソルによって選択されているオーディオデータフォルダを、選択されたフォルダとして決定する。そしてフォルダ内トラック一覧表示に戻すわけであるが、このときは、選択決定されたオーディオデータフォルダのトラック一覧表示を行う。例えばオーディオデータフォルダＡＧ２が選択決定されたとすると、トラックＴＫ４，ＴＫ５の一覧表示を行う。
【００５５】
なお、停止状態から再生状態への移行は、図５においてＳ１０の再生操作（集中コントローラ５のプッシュ操作）として行われると述べたが、その図５のＳ１０の再生操作は、図７におけるＳ１０ａ又はＳ１０ｂとなる。
Ｓ１０ａとして停止中にプッシュ操作が行われたら、それがＳ１０の再生操作として再生状態へ移行する。その場合、その時点で選択されているオーディオデータフォルダＡＧ１の先頭トラックからの再生が行われる。
またＳ１０ｂとしてフォルダ内トラック一覧表示中にプッシュ操作が行われたら、それがＳ１０の再生操作として再生状態へ移行する。その場合、その時点で、表示上でカーソルで選択されているトラックからの再生が行われる。
【００５６】
［７．再生状態での動作］
次に、オーディオモードの再生状態においてユーザーの操作に応じて行われる動作を図８に示す。図８では、ユーザーの操作に応じた動作をＳ４１〜Ｓ５７で示している。
再生状態では、図示するように「再生中」「一時停止中」「フォルダ内トラック一覧」「フォルダ一覧」という各状態がある。
「再生中」はオーディオデータ（図６のトラックＴＫ１等）の再生が行われている状態、「一時停止中」は、オーディオデータの再生が一時停止されている状態、「フォルダ内トラック一覧」は表示部４において、現在選択中のオーディオデータフォルダＡＧ（ｘ）に含まれるトラックが一覧表示されている状態、「フォルダ一覧」は表示部にオーディオデータフォルダＡＧ１、ＡＧ２・・・が一覧表示されている状態である。ここでの「フォルダ内トラック一覧」「フォルダ一覧」は、再生又は一時停止が継続されている状態である。
【００５７】
＜Ｓ４１：再生中のプッシュ操作＞
再生中にプッシュ操作が行われたら、ＣＰＵ３０は、再生動作（再生音声出力）を一時停止させる。
＜Ｓ４２：再生中のレフト操作／ライト操作＞
再生中にレフト操作／ライト操作が行われた場合、ＣＰＵ３０は、それをトラックジャンプ操作（この場合は頭出し操作）として処理する。レフト操作のときは戻り方向への頭出しジャンプとして、またライト操作の時は再生進行方向への頭出しジャンプとして、それぞれメディアドライブ部３４やメモリインターフェース３６を制御し、頭出し再生を実行させる。
なお、図８では省略したが、再生中に長押しとしてのレフト操作／ライト操作が行われた場合、ＣＰＵ３０は、それをレビュー再生操作、キュー再生操作として扱い、メディアドライブ部３４やメモリインターフェース３６を制御して、早戻し再生、早送り再生を実行させる。
＜Ｓ４３：再生中のアップ操作／ダウン操作＞
再生中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。
この場合ＣＰＵ３０は、アップ操作／ダウン操作によってオーディオデータフォルダの選択を切り換えると共に、直ぐに再生音声出力を新たなオーディオデータフォルダの先頭のトラックから実行させるように制御しても良いが、アップ操作／ダウン操作については例えば表示上でオーディオデータフォルダ名を切り換えていくものとし、例えばその後のプッシュ操作でオーディオデータフォルダが決定されたことによって、再生音声出力を、その決定されたオーディオデータフォルダの先頭トラックの再生音声に切り換えるように制御してもよい。
＜Ｓ４４：再生中のジョグ操作＞
再生中にジョグ操作が行われた場合、ＣＰＵ３０はその操作をトリガとして表示状態をフォルダ内トラック一覧に切り換える。例えばＣＰＵ３０は、オーディオデータフォルダＡＧ１内の或るトラックの再生中にジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。なお、このとき再生音声出力は継続させている。
【００５８】
＜Ｓ４５：一時停止中のプッシュ操作＞
一時停止中にプッシュ操作が行われたら、ＣＰＵ３０は、一時停止を終了させ、再生動作（再生音声出力）を再開させる。
＜Ｓ４６：一時停止中のレフト操作／ライト操作＞
一時停止中にレフト操作／ライト操作が行われた場合、ＣＰＵ３０は、それをトラックジャンプ操作（この場合は一時停止状態での頭出し操作）として処理する。レフト操作のときは戻り方向への頭出しジャンプとして、またライト操作の時は再生進行方向への頭出しジャンプとして、メディアドライブ部３４にトラック先頭位置へのアクセスを実行させる。
なお、図８では省略したが、一時停止中中に長押しとしてのレフト操作／ライト操作が行われた場合、ＣＰＵ３０は、それを早戻し操作、早送り操作として扱い、メディアドライブ部３４を制御して、早戻し、早送りを実行させる。
＜Ｓ４７：一時停止中のアップ操作／ダウン操作＞
一時停止中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。そしてオーディオデータフォルダの選択が切り換えられた状態で一時停止の解除（プッシュ操作）を待機する。プッシュ操作により再生を再開するときは、アップ操作／ダウン操作で切り換えられたオーディオデータフォルダの先頭トラックからの再生を行うことになる。
＜Ｓ４８：一時停止中のジョグ操作＞
一時停止中にジョグ操作が行われた場合、ＣＰＵ３０はその操作をトリガとして表示状態をフォルダ内トラック一覧に切り換える。例えばＣＰＵ３０は、オーディオデータフォルダＡＧ１内の或るトラックの一時停止中にジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。或いは、上記Ｓ４７のアップ操作／ダウン操作で選択中のオーディオデータフォルダが切り換えられた後にジョグ操作が行われたら、その切り換えられたオーディオデータフォルダに含まれるトラックの一覧表示を実行させる。
【００５９】
＜Ｓ４９：フォルダ内トラック一覧からのレフト操作＞
フォルダ内トラック一覧表示を行っているときに、レフト操作が行われたら、ＣＰＵ３０はその操作をトリガとして、表示状態をフォルダ一覧に切り換える。この場合、ＣＰＵ３０は、表示部に、オーディオデータフォルダＡＧ１、ＡＧ２・・・の一覧表示を実行させる。
＜Ｓ５０：フォルダ内トラック一覧からのジョグ操作／アップ操作／ダウン操作＞
フォルダ内トラック一覧表示を行っているときに、ジョグ操作／アップ操作／ダウン操作が行われたら、ＣＰＵ３０はそれらをカーソル移動操作として処理し、トラック一覧表示上でカーソル移動を行う。例えばジョグ操作として右回り操作はトラックナンバが進む方向へのカーソル移動、ジョグ操作として左回り操作はトラックナンバが戻る方向へのカーソル移動、アップ操作はトラックナンバが戻る方向へのカーソル移動、ダウン操作はトラックナンバが進む方向へのカーソル移動、などとして表示上でのカーソル移動制御を行うことになる。
＜Ｓ５１：再生中のフォルダ内トラック一覧からのプッシュ操作＞
上記Ｓ４４として再生中のジョグ操作でフォルダ内トラック一覧表示を実行させた後において、プッシュ操作が行われた場合、ＣＰＵ３０は一覧表示上のカーソルで選択されているトラックの再生指示と判断し、該選択されたトラックの再生を開始させるようにメディアドライブ部３４及びメモリインターフェース３６を制御する。再生音声出力は、それまで再生されていたトラックの再生音声から、新たに選択されたトラックの再生音声に切り換えられることになる。
＜Ｓ５２：再生中のフォルダ内トラック一覧からのストップ／キャンセル操作＞
上記Ｓ４４として再生中のジョグ操作でフォルダ内トラック一覧表示を実行させた後に、ストップ／キャンセルキー７が押された場合、ＣＰＵ３０はそれを一覧表示の終了と判断し、表示部４の表示を再生中の表示状態に戻す。再生音声出力はそのまま継続されている。
＜Ｓ５３：一時停止中のフォルダ内トラック一覧からのプッシュ操作＞
上記Ｓ４８として一時停止中のジョグ操作でフォルダ内トラック一覧表示を実行させた後において、プッシュ操作が行われた場合、ＣＰＵ３０は一覧表示上のカーソルで選択されているトラックの選択状態が決定されたと判断し、該選択されたトラックの再生を開始できる状態で一時停止を継続する。メディアドライブ部３４及びメモリインターフェース３６に対しては、一時停止解除時点で、新たに選択されたトラックが再生されるように制御する。
＜Ｓ５４：一時停止中のフォルダ内トラック一覧からのストップ／キャンセル操作＞
上記Ｓ４８として一時停止中のジョグ操作でフォルダ内トラック一覧表示を実行させた後に、ストップ／キャンセルキー７が押された場合、ＣＰＵ３０はそれを一覧表示の終了と判断し、表示部４の表示を一時停止中の表示状態に戻す。一時停止状態はそのまま継続される。
【００６０】
＜Ｓ５５：フォルダ一覧からのジョグ操作／アップ操作／ダウン操作＞
フォルダ一覧表示を行っているときに、ジョグ操作／アップ操作／ダウン操作が行われたら、ＣＰＵ３０はそれらをカーソル移動操作として処理し、フォルダ一覧表示上でカーソル移動を行う。例えばジョグ操作として右回り操作はオーディオデータフォルダのフォルダナンバが進む方向へのカーソル移動、ジョグ操作として左回り操作はフォルダナンバが戻る方向へのカーソル移動、アップ操作はフォルダナンバが戻る方向へのカーソル移動、ダウン操作はフォルダナンバが進む方向へのカーソル移動、などとして表示上でのカーソル移動制御を行う。
＜Ｓ５６：フォルダ一覧からのライト操作＞
フォルダ一覧表示を行っているときに、ライト操作が行われたら、ＣＰＵ３０はその操作をトリガとして、表示状態をフォルダ内トラック一覧に戻す。このライト操作は、上記Ｓ４９のレフト操作と対になる画面の戻しのための操作となる。
＜Ｓ５７：フォルダ一覧からのプッシュ操作＞
フォルダ一覧表示を行っているときに、プッシュ操作が行われたら、ＣＰＵ３０はそれをフォルダ選択の決定操作として処理する。この場合ＣＰＵ３０は、その時点でフォルダ一覧画面上でカーソルによって選択されているオーディオデータフォルダを、選択されたフォルダとして決定する。そしてフォルダ内トラック一覧表示に戻すわけであるが、このときは、選択決定されたオーディオデータフォルダのトラック一覧表示を行う。例えばオーディオデータフォルダＡＧ２が選択決定されたとすると、トラックＴＫ４，ＴＫ５の一覧表示を行う。
【００６１】
［８．写真閲覧状態での動作例Ｉ］
次にカメラモードの写真閲覧状態での動作を説明する。なお、特にアップ操作／ダウン操作に対する動作処理例として各種の例を、以降の動作例Ｉ〜Ｖとして、それぞれ説明する。
まず、動作例Ｉを図９，図１０，図１１を用いて説明する。
図９は、写真閲覧状態における操作に応じた動作をＳ６１，Ｓ６２，Ｓ６３及び７１，Ｓ７２，Ｓ７３で示している。
写真閲覧状態では、図９に示すように「一枚表示」と「サムネイル表示」という各状態がある。
「一枚表示」は、撮像データとしての或る１枚が表示部４０にフル画面表示されている状態である。例えば図１０（ａ）には、図６に示した画像データフォルダＣＦ２における撮像データＤＴｃ２０１の画像が「一枚表示」されている例を示している。
「サムネイル表示」は、複数の撮像データのサムネイル画像が表示部４に表示されている状態であり、その表示状態の例を図１０（ｃ）に示している。これは画像データフォルダＣＦ２における撮像データＤＴｃ２０１〜ＤＴｃ２０９の９枚の画像に対応するそれぞれのサムネイル画像が表示されている例である。このサムネイル表示するときの画像データは、例えば画像データフォルダＣＦ２内のサムネイルファイルＴＭ２０１から読み出した画像データである。
また図５においてＳ１６，Ｓ１９として説明したように、撮像スタンバイ状態と写真閲覧状態の遷移はレンズカバー１５の開閉に応じて行われる。Ｓ１６のレンズカバー１５を閉じる操作に応じて撮像スタンバイ状態から写真閲覧状態に移行したときは、図９に示すように、写真閲覧状態において一枚表示が実行される状態となる。
【００６２】
＜Ｓ６１：一枚表示実行中のプッシュ操作＞
一枚表示中にプッシュ操作が行われたら、ＣＰＵ３０は、それをトリガとしてサムネイル表示に切り換える処理を行う。即ち、その時点で一枚表示していた撮像データが含まれる画像データフォルダ内のサムネイルファイルを用いたサムネイル画像表示を行う。例えば図１０（ａ）のように画像データフォルダＣＦ２の撮像データＤＴｃ２０１の一枚表示を行っていたときにプッシュ操作が行われた場合、図１０（ｃ）のように、その画像データフォルダＣＦ２に含まれるサムネイルファイルＴＭ２０１の再生画像としてのサムネイル表示を行う。
なお、これは上述した図６のように画像データフォルダ内にサムネイルファイルが生成されている場合であるが、サムネイルファイルが生成されないシステムの場合は、各撮像データＤＴｃ内に含まれるサムネイル画像を抽出して表示すればよい。
【００６３】
＜Ｓ６２：一枚表示実行中のレフト操作／ライト操作＞
一枚表示中にレフト操作／ライト操作が行われたら、ＣＰＵ３０は、一枚表示を行う撮像データを前後に切り換える処理を行う。レフト操作で１つ前の撮像データ、ライト操作で次の撮像データに切り換える。例えば図１０（ａ）のように画像データフォルダＣＦ２の撮像データＤＴｃ２０１の一枚表示を行っていたときにライト操作が行われた場合、図１０（ｂ）のように、次の撮像データＤＴｃ２０２の再生画像が表示されるようにする。
なお、ここでいう前後は、画像データフォルダ内で完結しても良いし、画像データフォルダをまたがって前後としても良い。画像データフォルダ内で完結させる場合としては、例えば画像データフォルダＣＦ２の先頭の撮像データＤＴｃ２０１の一枚表示を行っていたときにレフト操作が行われて１つ前の画像を表示させる際には、その１つ前の画像は、一巡して画像データフォルダＣＦ２の最後の撮像データとしても良いし、或いは画像データフォルダＣＦ２に１つ前の撮像データが存在しないことから画像の切り換えを行わない（操作を無効とする）ようにしてもよい。
また、画像データフォルダを連続的にまたがって扱う場合は、画像データフォルダＣＦ２の先頭の撮像データＤＴｃ２０１の一枚表示を行っていたときにレフト操作が行われたら、１つ前の画像として、前の画像データフォルダＣＦ１の最後の撮像データとする。
【００６４】
＜Ｓ６３：一枚表示実行中のアップ操作／ダウン操作＞
一枚表示中にアップ操作／ダウン操作が行われたら、ＣＰＵ３０は、フォルダジャンプを行って表示する画像を切り換える処理を行う。例えばアップ操作で前の画像データフォルダにジャンプし、ダウン操作で次の画像データフォルダにジャンプさせる。
例えば図１０（ａ）のように撮像データＤＴｃ２０１等、画像データフォルダＣＦ２内の撮像データの一枚表示を行っていたときにダウン操作が行われたら、ＣＰＵ３０は、次の画像データフォルダＣＦ３へのジャンプ処理を行い、図１３（ｄ）のように画像データフォルダＣＦ３の先頭の撮像データＤＴｃ３０１の再生画像を一枚表示させるように制御する。
また同じく図１０（ａ）のように撮像データＤＴｃ２０１等、画像データフォルダＣＦ２内の撮像データの一枚表示を行っていたときにアップ操作が行われたら、ＣＰＵ３０は、前の画像データフォルダＣＦ１へのジャンプ処理を行い、画像データフォルダＣＦ１の先頭の撮像データＤＴｃ１０１の再生画像を一枚表示させるように制御する。
【００６５】
＜Ｓ７１：サムネイル表示中のプッシュ操作＞
サムネイル表示中にプッシュ操作が行われたら、ＣＰＵ３０は、それをトリガとしてサムネイル表示から一枚表示に切り換える処理を行う。サムネイル表示においては、例えば図１０（ｃ）（ｅ）に示すようにカーソルＫによって、複数の画像の中の１つを選択できるようにしている。サムネイル表示中にプッシュ操作が行われた場合、その時点でカーソルＫによって選択されている画像の一枚表示に切り換えることになる。例えば図１０（ｃ）においてカーソルＫで撮像データＤＴｃ２０１が選択されていたとすると、図１０（ａ）のような撮像データＤＴｃ２０１の一枚表示に切り換える。また図１０（ｅ）でカーソルＫによって選択されているのが撮像データＤＴｃ２０８であるとしたら、その撮像データＤＴｃ２０８の一枚表示に切り換える。
【００６６】
＜Ｓ７２：サムネイル表示中のストップ／キャンセル操作＞
サムネイル表示中にストップ／キャンセル操作が行われたら、ＣＰＵ３０は、それをトリガとしてサムネイル表示から一枚表示に切り換える処理を行う。但しこの場合は、サムネイル画面上でのカーソルＫによる選択をキャンセルするものとし、サムネイル表示に移行する直前の一枚表示に戻ることになる。例えば図１０（ａ）の撮像データＤＴｃ２０１の一枚表示から図１０（ｃ）のサムネイル表示に移行した後、カーソル移動操作が行われて図１０（ｅ）のようにカーソルＫが撮像データＤＴｃ２０８の位置になっていたとしても、ストップ／キャンセル操作が行われたら、元の図１０（ａ）の一枚表示の状態に戻すようにする。
【００６７】
＜Ｓ７３：サムネイル表示中のジョグ／アップ／ダウン／レフト／ライト操作＞
サムネイル表示中に、ジョグ操作／アップ操作／ダウン操作／レフト操作／ライト操作が行われたら、ＣＰＵ３０はそれらをサムネイル表示上のカーソル移動操作として処理する。例えばジョグ操作として右回り操作は図１０（ｃ）（ｅ）のような例えば９画像分のサムネイル画像上の順方向のカーソル移動、ジョグ操作として左回り操作はサムネイル画像上の逆方向のカーソル移動、アップ操作は上方向のカーソル移動、ダウン操作は下方向へのカーソル移動、レフト操作は左方向へのカーソル移動、ライト操作は右方向へのカーソル移動として、それぞれ表示上でのカーソルＫの移動制御を行う。なお、例えば図１０（ｃ）（ｅ）のようにサムネイル表示は９画像としているが、もちろん撮像データＤＴｃとして１０個以上が記録されている場合、サムネイル表示はカーソル移動に応じて表示されるサムネイル画像を切り換えていくことになる。
【００６８】
この図９のような動作を実現するためのＣＰＵ３０の処理を図１１に示す。なお、図１１は、写真閲覧状態において図９で説明した動作のみについての処理を示している。例えば撮像スタンバイ状態への状態遷移の処理などは省略している。
ステップＦ１０１は、一枚表示として或る撮像データを表示する処理を示している。ＣＰＵ３０は、この一枚表示中にはステップＦ１０２，Ｆ１０３，Ｆ１０４でアップ操作／ダウン操作、レフト操作／ライト操作、プッシュ操作をそれぞれ監視している。
アップ操作又はダウン操作が検出された場合は、ＣＰＵ３０はステップＦ１０２からＦ１０５に進み、上記Ｓ６３で説明したフォルダジャンプ処理を行って一枚表示させる画像の選択を切り換え、ステップＦ１０１に戻ってフォルダジャンプによって新たに選ばれた撮像データの画像を表示させる。
レフト操作又はライト操作が検出された場合は、ＣＰＵ３０はステップＦ１０３からＦ１０６に進み、上記Ｓ６２で説明した前又は後の撮像データに切り換える処理を行ない、ステップＦ１０１に戻って前又は後の撮像データの一枚表示を表示させる。
プッシュ操作が検出された場合は、ＣＰＵ３０はステップＦ１０４からＦ１０７に進み、上記Ｓ６１として説明したように、サムネイル表示を実行させる。
【００６９】
サムネイル表示中にはＣＰＵ３０は、ステップＦ１０８，Ｆ１０９，Ｆ１１０でストップ／キャンセルキー７の操作、プッシュ操作、カーソル移動操作（ジョグ操作／アップ操作／ダウン操作／レフト操作／ライト操作）をそれぞれ監視している。
ストップ／キャンセルキー７の操作が検出された場合は、上記Ｓ７２の処理として、ＣＰＵ３０はステップＦ１０８からＦ１０１に進み、サムネイル表示に移行する前の撮像データの一枚表示に戻す。
プッシュ操作が検出された場合は、上記Ｓ７１で説明した処理を行うため、ＣＰＵ３０はステップＦ１０９からＦ１１２に進み、まずその時点でカーソルＫで選択されたいる撮像データの選択を確定させる。そしてステップＦ１０１に進み、カーソルＫで選択された撮像データの一枚表示を実行させる。
カーソル移動操作（ジョグ操作／アップ操作／ダウン操作／レフト操作／ライト操作）が検出された場合は、上記Ｓ７３の処理を行う。即ちＣＰＵ３０はステップＦ１１０からＦ１１１に進み、サムネイル表示上で、その操作に応じた方向にカーソルＫを移動させる（場合によってはサムネイル画像の切り換えやスクロール処理を伴う）処理を行う。
【００７０】
以上のような動作例Ｉでは、次の特徴を有する。
・一枚表示中のアップ操作／ダウン操作によってフォルダジャンプを行う。
・フォルダジャンプによっては、前又は後の画像データフォルダの先頭の撮像データの一枚表示が行われる。
・サムネイル表示中には、フォルダジャンプ操作であるアップ操作／ダウン操作が行われても、それをフォルダジャンプ操作とは扱わず（フォルダジャンプは行わない）、カーソル移動操作として扱う。
【００７１】
［９．写真閲覧状態での動作例II］
次に同じく写真閲覧状態での動作としての動作例IIを図１２，図１３，図１４を用いて説明する。
図１２は、写真閲覧状態における操作に応じた動作をＳ６１，Ｓ６２，Ｓ６３及びＳ７１，Ｓ７２，Ｓ７３，Ｓ７４で示している。このうちＳ６１，Ｓ６２，Ｓ６３，Ｓ７１，Ｓ７２は上記動作例Ｉと同様である。即ちＣＰＵ３０は、図１３（ａ）のような一枚表示からレフト操作／ライト操作（Ｓ６２）によって図１３（ｂ）のように前又は後の撮像データの一枚表示に切り換える。また図１３（ａ）のような一枚表示からアップ操作／ダウン操作（Ｓ６３）によって図１３（ｄ）のように前又は後の画像データフォルダの先頭の撮像データの一枚表示に切り換える。また図１３（ａ）のような一枚表示からプッシュ操作（Ｓ６１）によって図１３（ｃ）のようなサムネイル表示に切り換える。また図１３（ｃ）のサムネイル表示からプッシュ操作（Ｓ７１）でカーソル選択中の撮像データの一枚表示に切り換え、またストップ／キャンセルキー７の操作で、元の一枚表示に切り換える。
動作例Ｉと異なるのは、次のＳ７３，Ｓ７４の動作となる。
【００７２】
＜Ｓ７３：サムネイル表示中のジョグ操作／レフト操作／ライト操作＞
サムネイル表示中に、ジョグ操作／レフト操作／ライト操作が行われたら、ＣＰＵ３０はそれらをサムネイル表示上のカーソル移動操作として処理する。例えばジョグ操作として右回り操作は図１３（ｃ）（ｅ）のような例えば９画像分のサムネイル画像上の順方向のカーソル移動、ジョグ操作として左回り操作はサムネイル画像上の逆方向のカーソル移動、レフト操作は左方向へのカーソル移動、ライト操作は右方向へのカーソル移動として、それぞれ表示上でのカーソルＫの移動制御を行う。
つまりこの場合、アップ操作／ダウン操作はカーソル移動操作とはしない点が動作例Ｉと異なっている。
【００７３】
＜Ｓ７４：サムネイル表示中のアップ操作／ダウン操作＞
サムネイル表示中にアップ操作／ダウン操作が行われたら、ＣＰＵ３０は、フォルダジャンプを行って表示するサムネイル画像を切り換える処理を行う。例えばアップ操作で前の画像データフォルダにジャンプし、ダウン操作で次の画像データフォルダにジャンプさせる。
例えば図１３（ｃ）（ｅ）のように画像データフォルダＣＦ２内の撮像データについてのサムネイル表示を行っていたときにアップ操作が行われたら、ＣＰＵ３０は、前の画像データフォルダＣＦ１へのジャンプ処理を行い、図１３（ｆ）のようにその画像データフォルダＣＦ１に含まれる撮像データのサムネイル表示、つまりサムネイルファイルＲＭ１０１等を用いた表示を実行させるように制御する。
また同じく図１３（ｃ）（ｅ）のように画像データフォルダＣＦ２内の撮像データのサムネイル表示を行っていたときにダウン操作が行われたら、ＣＰＵ３０は、次の画像データフォルダＣＦ３へのジャンプ処理を行い、画像データフォルダＣＦ３の撮像データのサムネイル表示を実行させるように制御する。
【００７４】
この図１２のような動作を実現するためのＣＰＵ３０の処理を図１４に示す。なお、図１４におけるステップＦ２０１〜Ｆ２０９は、図１１のステップＦ１０１〜Ｆ１０９と同様であり、一枚表示中の操作に対応する処理（Ｆ２０１〜Ｆ２０６）については説明を省略する。
この図１２の場合、サムネイル表示中にはＣＰＵ３０は、ステップＦ２０８，Ｆ２０９，Ｆ２１０、Ｆ２１１でストップ／キャンセルキー７の操作、プッシュ操作、フォルダジャンプ操作（アップ操作／ダウン操作）、及びカーソル移動操作（ジョグ操作／レフト操作／ライト操作）をそれぞれ監視している。
ストップ／キャンセルキー７の操作が検出された場合は、上記Ｓ７２の処理として、ＣＰＵ３０はステップＦ２０８からＦ２０１に進み、サムネイル表示に移行する前の撮像データの一枚表示に戻す。
プッシュ操作が検出された場合は、上記Ｓ７１の処理を行うため、ＣＰＵ３０はステップＦ２０９からＦ２１４に進み、まずその時点でカーソルＫで選択されたいる撮像データの選択を確定させる。そしてステップＦ２０１に進み、カーソルＫで選択された撮像データの一枚表示を実行させる。
フォルダジャンプ操作（アップ操作／ダウン操作）が検出された場合は、ＣＰＵ３０はステップＦ２１０からＦ２１３に進み、フォルダジャンプ処理として上記Ｓ７４として説明した処理を行う。そしてステップＦ２０７のサムネイル表示に戻り、ジャンプした先の画像データフォルダにおけるサムネイル表示に切り換えることになる。
カーソル移動操作（ジョグ操作／レフト操作／ライト操作）が検出された場合は、上記Ｓ７３の処理を行う。即ちＣＰＵ３０はステップＦ２１１からＦ２１２に進み、サムネイル表示上で、その操作に応じた方向にカーソルＫを移動させる（場合によってはサムネイル画像の切り換えやスクロール処理を伴う）処理を行う。
【００７５】
以上のような動作例IIは、次の特徴を有する。
・一枚表示中のアップ操作／ダウン操作によってフォルダジャンプを行う。
・一枚表示中のフォルダジャンプによっては、前又は後の画像データフォルダの先頭の撮像データの一枚表示が行われる。
・サムネイル表示中のアップ操作／ダウン操作によってフォルダジャンプを行う。
・サムネイル表示中のフォルダジャンプによっては、前又は後の画像データフォルダに含まれる撮像データのサムネイル表示が行われる。
【００７６】
［１０．写真閲覧状態での動作例III］
続いて写真閲覧状態での動作例IIIを図１５，図１６で説明する。なお、重複説明を避けるため、上記の動作例IIと異なる点のみを述べる。
図１５は、写真閲覧状態における操作に応じた動作をＳ６１，Ｓ６２，Ｓ６３及びＳ７１，Ｓ７２，Ｓ７３，Ｓ７４で示しているが、上記図１２と異なるのは、Ｓ６３としてのフォルダジャンプの処理である。
【００７７】
＜Ｓ６３：一枚表示実行中のアップ操作／ダウン操作＞
一枚表示中にアップ操作／ダウン操作が行われたら、ＣＰＵ３０は、フォルダジャンプを行って表示する画像を切り換える処理を行う。例えばアップ操作で前の画像データフォルダにジャンプし、ダウン操作で次の画像データフォルダにジャンプさせる。そしてジャンプ先の画像データフォルダのサムネイル表示を行う。
例えば撮像データＤＴｃ２０１等、画像データフォルダＣＦ２内の撮像データの一枚表示を行っていたときにダウン操作が行われたら、ＣＰＵ３０は、次の画像データフォルダＣＦ３へのジャンプ処理を行い、その画像データフォルダＣＦ３に含まれる撮像データのサムネイル表示を実行させるように制御する。
また同じく撮像データＤＴｃ２０１等、画像データフォルダＣＦ２内の撮像データの一枚表示を行っていたときにアップ操作が行われたら、ＣＰＵ３０は、前の画像データフォルダＣＦ１へのジャンプ処理を行い、画像データフォルダＣＦ１に含まれる撮像データのサムネイル表示を実行させるように制御する。
【００７８】
この図１５の動作のためのＣＰＵ３０の処理は図１６のようになる。図１６のステップＦ３０１〜Ｆ３１４のうち、上述した図１４のステップＦ２０１〜Ｆ２１４と異なるのはステップＦ３０５のみである。
つまり、一枚表示中にアップ操作又はダウン操作が行われたら、ステップＦ３０２からＦ３０５に進み、選択状態の画像データフォルダを前又は後の画像データフォルダに切り換えるが、その新たな選択状態でステップＦ３０７のサムネイル表示処理に進み、ジャンプ先の画像データフォルダに含まれる撮像データのサムネイル表示を行うものである。
【００７９】
この動作例IIIでは、次の特徴を有するものとなる。
・一枚表示中のアップ操作／ダウン操作によってフォルダジャンプを行う。
・一枚表示中のフォルダジャンプによっては、前又は後の画像データフォルダの撮像データについてのサムネイル表示が行われる。
・サムネイル表示中のアップ操作／ダウン操作によってフォルダジャンプを行う。
・サムネイル表示中のフォルダジャンプによっては、前又は後の画像データフォルダに含まれる撮像データのサムネイル表示が行われる。
【００８０】
［１１．写真閲覧状態での動作例IV］
写真閲覧状態での動作例IVを図１７，図１８で説明する。これも上記の動作例IIと異なる点のみを述べる。
図１７は、写真閲覧状態における操作に応じた動作をＳ６１，Ｓ６２，Ｓ６３及びＳ７１，Ｓ７２，Ｓ７３，Ｓ７４で示しているが、上記図１２と異なるのは、Ｓ７４としてのフォルダジャンプの処理である。
【００８１】
＜Ｓ７４：サムネイル表示中のアップ操作／ダウン操作＞
サムネイル表示中にアップ操作／ダウン操作が行われたら、ＣＰＵ３０は、フォルダジャンプ処理を行う。例えばアップ操作で前の画像データフォルダにジャンプし、ダウン操作で次の画像データフォルダにジャンプさせる。そしてジャンプ先の画像データフォルダの先頭の撮像データの一枚表示を実行させる。
例えば画像データフォルダＣＦ２内の撮像データについてのサムネイル表示を行っていたときにアップ操作が行われたら、ＣＰＵ３０は、前の画像データフォルダＣＦ１へのジャンプ処理を行い、その画像データフォルダＣＦ１の先頭の撮像データＤＴｃ１０１の一枚表示を実行させるように制御する。
また同じく画像データフォルダＣＦ２内の撮像データのサムネイル表示を行っていたときにダウン操作が行われたら、ＣＰＵ３０は、次の画像データフォルダＣＦ３へのジャンプ処理を行い、画像データフォルダＣＦ３の先頭の撮像データＤＴｃ３０１の一枚表示を実行させるように制御する。
【００８２】
この図１７の動作のためのＣＰＵ３０の処理は図１８のようになる。図１８のステップＦ４０１〜Ｆ４１４のうち、上述した図１４のステップＦ２０１〜Ｆ２１４と異なるのはステップＦ４１３のみである。
つまり、サムネイル表示中にアップ操作又はダウン操作が行われたら、ステップＦ４１０からＦ４１３に進み、選択状態の画像データフォルダを前又は後の画像データフォルダに切り換えるが、その新たな選択状態でステップＦ４１０の一枚表示処理に進み、ジャンプ先の画像データフォルダの先頭の撮像データの一枚表示を行うものである。
【００８３】
この動作例IVでは、次の特徴を有する。
・一枚表示中のアップ操作／ダウン操作によってフォルダジャンプを行う。
・一枚表示中のフォルダジャンプによっては、前又は後の画像データフォルダの撮像データの先頭の撮像データの一枚表示が行われる。
・サムネイル表示中のアップ操作／ダウン操作によってフォルダジャンプを行う。
・サムネイル表示中のフォルダジャンプによっては、前又は後の画像データフォルダの先頭の撮像データの一枚表示が行われる。
【００８４】
［１２．写真閲覧状態での動作例Ｖ］
写真閲覧状態での動作例Ｖを図１９，図２０で説明する。上記の動作例IIと異なる点を、動作例III、動作例IVを参照しながら述べる。
図１９は、写真閲覧状態における操作に応じた動作をＳ６１，Ｓ６２，Ｓ６３及びＳ７１，Ｓ７２，Ｓ７３，Ｓ７４で示しているが、上記動作例IIの図１２と異なるのは、Ｓ６３及びＳ７４としてのフォルダジャンプの処理である。
Ｓ６３として、一枚表示中のアップ操作／ダウン操作によってフォルダジャンプが行われる場合の処理は、上記動作例III（図１５）と同様となり、つまりジャンプ先の画像データフォルダに含まれる撮像データのサムネイル表示が行われる。
またＳ７４として、サムネイル表示中のアップ操作／ダウン操作によってフォルダジャンプが行われる場合の処理は、上記動作例IV（図１７）と同様となり、つまりジャンプ先の画像データフォルダの先頭の撮像データの一枚表示が行われる。
【００８５】
この図１９の動作のためのＣＰＵ３０の処理は図２０のようになる。図１８のステップＦ５０１〜Ｆ５１４のうち、上述した図１４のステップＦ２０１〜Ｆ２１４と異なるのはステップＦ５０５，Ｆ５１３である。
つまり、一枚表示中にアップ操作又はダウン操作が行われたら、ステップＦ５０２からＦ５０５に進み、選択状態の画像データフォルダを前又は後の画像データフォルダに切り換えるが、その新たな選択状態でステップＦ５０７のサムネイル表示処理に進み、ジャンプ先の画像データフォルダに含まれる撮像データのサムネイル表示を行う。
また、サムネイル表示中にアップ操作又はダウン操作が行われたら、ステップＦ５１０からＦ５１３に進み、選択状態の画像データフォルダを前又は後の画像データフォルダに切り換えるが、その新たな選択状態でステップＦ５１０の一枚表示処理に進み、ジャンプ先の画像データフォルダの先頭の撮像データの一枚表示を行うものである。
【００８６】
この動作例IVでは、次の特徴を有する。
・一枚表示中のアップ操作／ダウン操作によってフォルダジャンプを行う。
・一枚表示中のフォルダジャンプによっては、前又は後の画像データフォルダに含まれる撮像データのサムネイル表示が行われる。
・サムネイル表示中のアップ操作／ダウン操作によってフォルダジャンプを行う。
・サムネイル表示中のフォルダジャンプによっては、前又は後の画像データフォルダの先頭の撮像データの一枚表示が行われる。
【００８７】
［１３．実施の形態の効果及び変形例］
以上の本実施の形態のオーディオ・カメラ複合装置では、ディスク９０に記録した撮像データを表示させている際に、フォルダジャンプ操作としてのアップ操作／ダウン操作によって、表示させる画像を、画像データフォルダ単位で変更することができる。そしてこのフォルダジャンプ操作（アップ操作／ダウン操作）によって、ユーザーは例えば撮像データとして記録した大量の画像データから見たい画像を探し出すことが容易となる。特に画像データフォルダを意識しているユーザーにとっては、表示させる画像の選択操作の容易性は格段に向上する。
ユーザーは、撮像を行うときに、撮像データを収納する画像データフォルダを任意に切り換えていくことができる。例えば最初は、ユーザーのシャッタ操作によってディスク９０に記録される撮像データは、最初の画像データフォルダＣＦ１に格納される状態とされるが、ある時点でユーザーがフォルダ変更操作を行うと、それ以降の撮像データは画像データフォルダＣＦ２に格納されるように管理される。このフォルダ変更操作は、例えばメニューキー６を押して表示させたメニュー画面などから可能とされる。
ユーザーがこのような画像データフォルダを意識した撮像を続けていくと、ユーザーにとって日時、期間、撮像を行うイベントなどの毎に、写真データが、各画像データフォルダに集められる状態となる。つまり、大量に撮像を行っていても、その撮像データは、それぞれの画像データフォルダ毎に整理された状態で保存されることになる。このような使用を行ったユーザーにとっては、フォルダジャンプ操作によってフォルダを選択できることで、苦もなく所望の画像を探し出すことができるようになる。
【００８８】
また、このようにフォルダジャンプ操作によって画像データフォルダ単位で見たい画像を選択していけることで、今後の記録媒体の大容量化、つまり１つの記録媒体に格納できる撮像データの数が、より大量化されていっても、好適に対応でき、良好な操作性を損なわない。例えば１枚のディスク９０に１０００枚、１００００枚など、大量の撮像データを保存できる場合にも好適となる。
【００８９】
また、動作例Ｉ、IIのように１つの撮像データを一枚表示させているときには、フォルダジャンプ操作によって他の画像データフォルダの１つの撮像データを一枚表示させるように切り換え、また動作例IIのようにサムネイル画像を表示させているときには、フォルダジャンプ操作によって他の画像データフォルダのサムネイル表示を実行させるように切り換えるようにすれば、ユーザーが見ている表示態様のままのフォルダジャンプが実現されるという利点がある。
逆に、動作例Ｖのように、フォルダジャンプ操作によっては、１つの画像データを表示させているときには、他のフォルダのサムネイル画像を表示させるように切り換え、サムネイル画像を表示させているときには、他のフォルダの１枚の画像データを表示させるように切り換えるようにすれば、表示態様が変化することでフォルダジャンプが行われたことをユーザーが認識しやすく、操作に対する装置動作の理解のしやすさという点で好適である。
また動作例IIIのように、フォルダジャンプ操作が行われた場合は、必ずジャンプ先の画像データフォルダのサムネイル表示に移行するようにすれば、ジャンプ先の画像データフォルダに含まれる画像データ内容をユーザーが認識しやすいという利点が得られる。
さらに動作例IVのように、フォルダジャンプ操作が行われた場合は、必ずジャンプ先の画像データフォルダの先頭の撮像データの一枚表示に移行するようにすれば、常に一枚表示の状態を基準として画像データフォルダ内の画像の表示が開始されるものとできる。
【００９０】
また動作例Ｉのように、サムネイル画像を表示させているときには、フォルダジャンプ操作（アップ操作／ダウン操作）をフォルダジャンプ操作と認識しないようにし、例えばサムネイル上のカーソル移動操作として処理するなどとしても、ユーザーが感覚的に理解し易い操作機能を実現できる。
【００９１】
また、オーディオモードにおいては、フォルダジャンプ操作であるアップ操作／ダウン操作をオーディオデータフォルダの切り換え操作としている。これによってフォルダジャンプ操作はカメラモードでもオーディオモードでもフォルダ単位の切り換え操作となり、ユーザーが操作機能を理解し易いものとなり、操作性向上の観点から適切となる。
またアップ操作／ダウン操作が、このようにカメラモード時とオーディオモード時でフォルダジャンプ操作として兼用されることで、複合機能機器としての操作子の削減効果も得られ、その上で操作の煩雑性を招かないため、小型携帯用の機器としても好適となる。
【００９２】
なお、実施の形態における動作例Ｉ〜Ｖでは、いずれも撮像スタンバイ状態から写真閲覧状態に入ったときは、まず一枚表示が行われるものとして説明したが、写真閲覧状態に入ったときに、最初にサムネイル表示が行われるようにしてもよい。
また、フォルダジャンプ操作に応じてジャンプ先の画像データフォルダの撮像データの一枚表示が行われる場合、その撮像データ（表示される特定の撮像データ）は、画像データフォルダの先頭の撮像データとしたが、それに限られるものではない。一枚表示されるのは例えば画像データフォルダ内の最後の撮像データとしてもよいし、或いはユーザーが各画像データフォルダ内で代表となる撮像データを指定することができるようにし、フォルダジャンプ操作によっては、ジャンプ先の画像データフォルダで代表画像に指定された撮像データの一枚表示が行われるようにすることなどが考えられる。さらには、過去にその画像データフォルダ内で最後に一枚表示された撮像データを特定の撮像データとして記憶しておき、フォルダジャンプ操作時にその撮像データを一枚表示させるようにしてもよい。
また、このように画像データフォルダ内の特定の撮像データの一枚表示を行うのではなく、ランダムに１つの撮像データを選んで一枚表示を行うような処理としても良い。
【００９３】
なお、実施の形態はオーディオ・カメラ複合装置としての例を挙げたが、オーディオ機能の１つとして録音機能を備えたものでも本発明の再生装置を適用できる。
また、オーディオ機能のないカメラ装置においても本発明の再生装置を適用できる。
また撮像機能として、動画撮像を行うことのできるカメラ装置でも本発明を適用できる。
【００９４】
また、実施の形態ではオーディオデータや画像データを記録する記録媒体として例えばミニディスク方式のディスク９０を例に挙げたが、ＣＤ（Compact Disc）方式、ＤＶＤ（Digital Versatile Disc）方式、ブルーレイディスク（Blu-Ray Disc）方式等の他の規格の光ディスクが記録媒体として採用されるものでも良い。もちろん、ＨＤＤ（Hard Disc Drive）などの磁気ディスクメディア、或いはフラッシュメモリ等の固体メモリ、固体メモリを内蔵したメモリカード、磁気テープメディアなど、多様な記録媒体を本発明の装置の記録媒体として採用できる。
さらに、オーディオ・カメラ複合装置の場合において、オーディオデータが記録される記録媒体と撮像データが記録される記録媒体が別々に用意される構成も考えられる。
【図面の簡単な説明】
【００９５】
【図１】本発明の実施の形態のオーディオ・カメラ複合装置の正面図、平面図、左側面図、右側面図、底面図、背面図である。
【図２】実施の形態のレンズカバーの開閉状態の説明図である。
【図３】実施の形態のオーディオ・カメラ複合装置のブロック図である。
【図４】実施の形態の集中コントローラの操作機能の説明図である。
【図５】実施の形態の動作状態遷移の説明図である。
【図６】実施の形態のファイル管理形態の説明図である。
【図７】実施の形態の停止状態における各種動作の説明図である。
【図８】実施の形態の再生状態における各種動作の説明図である。
【図９】実施の形態の写真閲覧状態での動作例Ｉの説明図である。
【図１０】実施の形態の写真閲覧状態での表示例の説明図である。
【図１１】実施の形態の写真閲覧状態での動作例Ｉの処理のフローチャートである。
【図１２】実施の形態の写真閲覧状態での動作例IIの説明図である。
【図１３】実施の形態の写真閲覧状態での表示例の説明図である。
【図１４】実施の形態の写真閲覧状態での動作例IIの処理のフローチャートである。
【図１５】実施の形態の写真閲覧状態での動作例IIIの説明図である。
【図１６】実施の形態の写真閲覧状態での動作例IIIの処理のフローチャートである。
【図１７】実施の形態の写真閲覧状態での動作例IVの説明図である。
【図１８】実施の形態の写真閲覧状態での動作例IVの処理のフローチャートである。
【図１９】実施の形態の写真閲覧状態での動作例Ｖの説明図である。
【図２０】実施の形態の写真閲覧状態での動作例Ｖの処理のフローチャートである。
【符号の説明】
【００９６】
１  オーディオ・カメラ複合装置、４  表示部、５  集中コントローラ、１０  カメラオン／オフキー、１１  シャッタボタン、１５  レンズカバー、３０  ＣＰＵ、３４  メディアドライブ部、３５  バッファメモリ、３７  圧縮エンコード／デコード部、３８  カメラ／ＬＣＤブロック、４５  カバー連動スイッチ
【図１】
2006135635.tif 000003
【図２】
2006135635.tif 000004
【図３】
2006135635.tif 000005
【図４】
2006135635.tif 000006
【図５】
2006135635.tif 000007
【図６】
2006135635.tif 000008
【図７】
2006135635.tif 000009
【図８】
2006135635.tif 000010
【図９】
2006135635.tif 000011
【図１０】
2006135635.tif 000012
【図１１】
2006135635.tif 000013
【図１２】
2006135635.tif 000014
【図１３】
2006135635.tif 000015
【図１４】
2006135635.tif 000016
【図１５】
2006135635.tif 000017
【図１６】
2006135635.tif 000018
【図１７】
2006135635.tif 000019
【図１８】
2006135635.tif 000020
【図１９】
2006135635.tif 000021
【図２０】
2006135635.tif 000022